(57)【要約】【課題】レジ袋を、衛生的に好ましくかつ見栄えの良い状態で、顧客が取り出しやすく設置可能にする。【解決手段】折り曲げられた袋を載置状態で支えるトレイ部と、袋が掛け回される部材であって、袋の折り曲げ部分を内側から支える支持部と、袋の開口側の一部を保持する保持部と、前記トレイ部および当該トレイ部上の袋を収納する容器であって、袋の折り曲げ部分を露出させる取出口を有する筐体と、前記取出口から引き出される袋の進路を中央に向けて寄せる集め部と、を備える。【選択図】図２
2020062064.tif 000002
【特許請求の範囲】
【請求項１】
折り曲げられた袋を載置状態で支えるトレイ部と、
袋が掛け回される部材であって、袋の折り曲げ部分を内側から支える支持部と、
袋の開口側の一部を保持する保持部と、
前記トレイ部および当該トレイ部上の袋を収納する容器であって、袋の折り曲げ部分を露出させる取出口を有する筐体と、
前記取出口から引き出される袋の進路を中央に向けて寄せる集め部と、
を備える袋保持装置。
【請求項２】
前記支持部は、袋の引き出し方向下流側の所定範囲で往復移動可能であって、
前記支持部を前記集め部に向かって付勢する付勢部
をさらに備える請求項１に記載の袋保持装置。
【請求項３】
前記集め部は、袋の進路を寄せる第１の部分と、前記トレイ部に固定され且つ前記第１の部分に対して所定の角度範囲で回動自在に連結された第２の部分と、前記第２の部分に対して前記第１の部分を所定の向きに付勢する第２付勢部と、を有する
請求項１または２に記載の袋保持装置。
【請求項４】
前記集め部は、先端部に、袋との間に生じる摩擦を低減させる摩擦低減部を有する
請求項１〜３のいずれか１つに記載の袋保持装置。
【請求項５】
前記トレイ部は、袋の折り曲げ部分が袋の底よりも高く位置するよう傾斜させて袋を支える
請求項１〜４のいずれか１つに記載の袋保持装置。
【発明の詳細な説明】
【技術分野】
【０００１】
本発明の実施形態は、袋保持装置に関する。
【背景技術】
【０００２】
従来、セルフチェックアウト装置や会計装置が用いられている。セルフチェックアウト装置はセルフＰＯＳなどとも呼ばれ、顧客が自身で商品の情報を読み込ませおよび会計を行うための装置である。会計装置は、会計のみ顧客自身で行うための装置である。これらの装置を用いる顧客が持ち帰る商品を詰めるための袋（レジ袋）は、案内担当の店員により顧客に手渡されたり、或いは、顧客自身で取ることができるよう装置周りに吊下げ状態で設置されたりする。
【０００３】
昨今は、レジ袋を顧客自身で取って貰う運用が増えてきている。しかしながら、上述のように、装置周りに吊下げて設置しているのであると、剥き出しであれば衛生的に好ましくない、見栄えが良くない、また、吊下げ位置は比較的低いことが多いので顧客は屈まなければならない、などの不都合がある。
【０００４】
吊下げ状態以外でのレジ袋の設置手法としては、特許文献１に記載のサッカ台のように、引き出し棚にレジ袋を収納するものがある。
【発明の概要】
【発明が解決しようとする課題】
【０００５】
本発明が解決しようとする課題は、レジ袋を、衛生的に好ましくかつ見栄えの良い状態で、顧客が取り出しやすく設置可能にすることである。
【課題を解決するための手段】
【０００６】
実施形態の袋保持装置は、折り曲げられた袋を載置状態で支えるトレイ部と、袋が掛け回される部材であって、袋の折り曲げ部分を内側から支える支持部と、袋の開口側の一部を保持する保持部と、前記トレイ部および当該トレイ部上の袋を収納する容器であって、袋の折り曲げ部分を露出させる取出口を有する筐体と、前記取出口から引き出される袋の進路を中央に向けて寄せる集め部と、を備える。
【図面の簡単な説明】
【０００７】
【図１】図１は、実施形態の袋保持装置の外観の一例を概略的に示す斜視図である。
【図２】図２は、袋保持装置の縦断側面図である。
【図３】図３は、袋保持装置が筐体内に備える各部の外観および配置の一例を示す斜視図である。
【図４】図４は、トレイ部および支持部の縦断側面図である。
【図５】図５は、案内部３５およびその周辺部を拡大して示す側面図である。
【図６】図６は、付勢部の構造を一部断面で示す平面図である。
【図７】図７は、集め部の変形例の一つを示す図である。
【図８】図８は、集め部の他の変形例を示す図である。
【発明を実施するための形態】
【０００８】
図１は、実施形態の袋保持装置１の外観の一例を概略的に示す斜視図である。図２は、袋保持装置１の縦断側面図である。袋保持装置１は、筐体２およびトレイ部３を備えている。図２は、トレイ部３が筐体２に収納された状態を示す。袋保持装置１はさらに、支持部４および保持部５を、備えている。
【０００９】
筐体２は、箱型の容器で、取出口２１を有する。取出口２１は、横長の開口部である。なお、図１では概略的な外観の一例を示したに過ぎず、筐体２は直方体でなくて構わない。
【００１０】
トレイ部３は、折り畳まれた（例えば二つ折りされた）状態の袋１００を、載置状態で支えるものであって、筐体２に収納される。
【００１１】
図２に示す袋１００は、例えば、本体部分１０１に一対の持ち手１０２が備わった所謂レジ袋である。また、袋１００は、吊下げ部１０３を備えている。吊下げ部１０３は、開口（入れ口、不図示）の中央部（一対の持ち手１０２の間）に、本体部分１０１から突出し且つ本体部分１０１に対して切り離し可能に設けられている。複数の袋１００の吊下げ部１０３が圧着等により一体化されることにより、袋１００は、重ねられた束として状態を維持しやすくされている。吊下げ部１０３は、中央部に貫通孔（不図示）を有する。
【００１２】
また、袋１００は、吊下げ部１０３と本体部分１０１との間に切り取り線（ミシン目）１０４を備えている。これにより、本体部分１０１と吊下げ部１０３とは、所定の力を上回る力での引っ張りにより保持解除（切り取り線１０４からの切り取り）可能である。
【００１３】
保持部５は、例えばフック状の部材であって、筐体２内に取り付けられている。保持部５は、袋１００の吊下げ部１０３を、貫通孔を引っ掛けることで保持する。
【００１４】
図３は、袋保持装置１が筐体内に備える各部の外観および配置の一例を示す斜視図である。トレイ部３は、袋１００が二つ折り状態で載置される平らな部分（平面部）３１を備えている。また、トレイ部３は、平面部３１の両側部に立てて設けられた側壁３２，３３を備えている。
【００１５】
筐体２は、内側面に、側壁３２，３３に対応する形状の案内部（不図示）を備えている。当該案内部は、側壁３２，３３との形状の対応によって、筐体２に対してトレイ部３が抜き差しされるように設けられている。
【００１６】
トレイ部３は、筐体２の背面側から差し込まれることにより、図２に示すように、筐体２に収納される。この状態で、トレイ部３の差し込み方向下流側の部分３４が、筐体２の正面側の取出口２１から触れられる位置に位置する。トレイ部３は、少なくとも筐体２に収納された状態で、折り曲げ部分１０５が底１０６よりも高く位置するよう傾斜させて、袋１００を支える。
【００１７】
なお、袋１００の底１０６に沿う方向を袋１００の幅方向とし、底１０６に直交する部分を袋１００の側部とする。
【００１８】
袋１００は、折り曲げ部分１０５側が顧客側に向けられる。この折り曲げ部分１０５が矢印Ａ（図２参照）で示す方向に引かれることによって、袋１００の吊下げ部１０３が切り離されて、本体部分１０１が取出口２１から引き抜かれる。
【００１９】
袋１００は、開口から底１０６へ向かう方向に交わる折り線で折り曲げられて、トレイ部３に載置される。支持部４は、袋１００の本体部分１０１が掛け回される部材であって、袋１００の折り曲げ部分１０５を、内側から支える。支持部４は、例えば、図示するような軸状の形状を有する部材である。しかしながら実施にあたっては支持部４の形状は異なっていてもよく、例えば、支持部４は、角棒状の部材や、板状の部材の一辺であってもよい。
【００２０】
図４は、トレイ部３および支持部４の縦断側面図である。トレイ部３は、側壁３２，３３に、支持部４の各端部４１を支持し案内する一対の案内部３５を有している。図５は、案内部３５およびその周辺部を拡大して示す側面図である。
【００２１】
案内部３５はＬ字型の溝であって、トレイ部３の深さ（側壁３２，３３の高さ）方向に沿って支持部４の端部４１を案内する部分３５１と、トレイ部３の平面方向に沿って端部４１を案内する部分３５２とを有する。なお、端部４１は、案内部３５の部分３５２内において、所定範囲で往復移動可能である。また、本実施形態の案内部３５は溝であるが、端部４１を所定の向きに移動可能に支持するものであればよいので、溝でなく例えばレール状のものであってもよい。
【００２２】
支持部４の端部４１は、案内部３５の部分３５１から差し込まれ、部分３５２内においては、付勢部３６により、袋１００の引き出し方向下流側に向かって（矢印Ｂ（図４参照）が示す方向）付勢される。ここで、図６は、付勢部３６の構造を一部断面で示す平面図である。
【００２３】
付勢部３６は、トレイ部３の側壁３２（３３）と平面部３１とに接する。図６に示した付勢部３６は、側壁３２側のものである。付勢部３６は、外筒３６１、スライダ３６２、ばね３６３を備える。外筒３６１は、一端部が閉じられ他端部が開放された角型の筒状の形状を有する。スライダ３６２は、外筒３６１の内側形状に合う角棒状の形状を有する。外筒３６１は、ばね３６３を内蔵し、さらにスライダ３６２の一端部が差し込まれる。この状態で、スライダ３６２は、外筒３６１に対して出入可能であり、且つ、ばね３６３の力により、スライダ３６２の他端部が、外筒３６１の開放側端部（上記他端部）から離れる方向に、付勢される。当該付勢力により、スライダ３６２の他端部は、支持部４の端部４１を押圧する。
【００２４】
図３および図６を参照して、集め部６の形状について説明する。袋保持装置１はさらに、集め部６を備えている。集め部６は、支持部４よりも袋１００の引き出し方向下流側に配置され、引き出される袋１００の両側部の進路を中央に向けて寄せる第１の部分６１と、当該第１の部分６１を支える第２の部分６２とを有する。第１の部分６１と第２の部分６２とは、所定の角度（鈍角）をなす。集め部６は樹脂などの可撓性を有する材料で形成されていて、第１の部分６１が第２の部分６２に対して所定の範囲で撓むような変形が可能である。
【００２５】
第２の部分６２は、トレイ部３に固定されている。第１の部分６１は、支持部４に対して傾斜した面を有している。当該面には、支持部４で支えられた袋１００の折り曲げ部分１０５が押し当てられる。このような第１の部分６１は、折り曲げ部分１０５が摘まれて袋１００が引き出される際に、袋１００の両側部の進路を、幅を狭めて中央部に向けて寄せるように、誘導する。その際、第１の部分６１は、袋１００から力を受けて第２の部分６２との間の角度が大きくなる方向に撓んで、袋１００から受ける力を逃がす。これにより、集め部６は、引き出される袋１００を中央に寄せながらも、袋１００に過剰な力が加わって袋１００が破れるなどの不都合の発生を、防止する。
【００２６】
このような構成の袋保持装置１は、例えば、取出口２１を顧客側に向けて設置される。袋保持装置１の設置の手法としては、当該袋保持装置１がセルフチェックアウト装置や会計装置に組み込まれているのであってもよいし、或いは、袋保持装置１をセルフチェックアウト装置や会計装置とは別体に構成して、購入した商品を袋詰めする場所から手の届く位置に設置してもよい。
【００２７】
顧客は、取出口２１から露出した袋１００の折り曲げ部分１０５を摘んで、引っ張る。この引っ張り力が所定の力を上回ると、引っ張られた袋１００の本体部分１０１が吊下げ部１０３から切り離されて、取出口２１から抜き出される。
【００２８】
このように袋保持装置１が構成されていることにより、例えば、セルフチェックアウト装置や会計装置によりチェックアウトないし会計を行っている顧客は、袋保持装置１から、使う分だけの袋１００を取り出すことができる。このような袋保持装置１により、袋１００は、顧客による使用の直前まで袋保持装置１に収納されているので、衛生的に好ましい状態、且つ、従来の吊下げでの設置に比べて見栄えがよい状態におかれる。
【００２９】
また、袋保持装置１は、折り畳み状態で袋１００を保持するので、袋保持装置１を小型化し、袋保持装置１の設置に要する空間を小さく抑えることができる（省スペース化）。なお、本実施形態では、袋１００を二つ折りで収納するようにしたが、実施にあたっては、例えば蛇腹状に三つ折りで収納するようにしてもよい。この場合には、更なる省スペース化を図ることができる一方、折り曲げ部分１０５相当の箇所が２箇所になるので、支持部４相当の部品が２つになる。
【００３０】
また、トレイ部３が、折り曲げ部分１０５が底１０６よりも高く位置するよう袋１００を傾斜させて支えていることにより、袋１００の束の乱れを防止することができる。
【００３１】
また、集め部６が、引き出される袋１００の両側部の進路を中央に向けて寄せるので、袋１００の側部が取出口２１の縁に引っ掛かったりする不都合が発生しにくくなるため、袋１００をさらに取り出しやすくすることができる。
【００３２】
また、支持部４は付勢部３６によって付勢されているので、支持部４に巻き付けられた袋１００の枚数が減って巻き付け厚さが薄くなってきても、袋１００の表面を、変わらず取出口２１の近くに位置させることができる。
【００３３】
なお、付勢部３６において、スライダ３６２を付勢しているのは、ばね３６３であるが、実施にあたっては、ばね３６３以外のものによってスライダ３６２相当の部材が付勢される構造であってもよい。
【００３４】
次に、上記実施形態の集め部６の二つの変形例について、図７および図８を参照して説明する。当該変形例の説明にあたっては、上記実施形態で説明したものと対応する箇所には同じ名称を用い、詳細な説明を省略する。
【００３５】
（変形例１）
図７は、上記実施形態における集め部６の変形例の集め部１６０を示す図である。集め部１６０は、第１の部分１６１、第２の部分１６２、および第２付勢部１６３を備えている。第１の部分１６１は、第２の部分１６２と別体であって、各部分１６１，１６２は、所定の角度範囲で回動自在に連結されている。第２付勢部１６３は、例えばトーションバネであって、第１の部分１６１と第２の部分１６２との連結部分に取り付けられて、第１の部分１６１を第２の部分１６２に対して所定の向きに付勢する。
【００３６】
このように構成された集め部１６０は、上記実施形態における集め部６に比べて、第２の部分１６２に対する第１の部分１６１の移動可能範囲や、第１の部分１６１を移動させるのに要する力の調整がしやすい。
【００３７】
このような構成の集め部１６０によれば、引き出される袋１００を中央に寄せながらも、袋１００に過剰な力が加わって袋１００が破れるなどの不都合の発生が防止できる。
【００３８】
（変形例２）
図８は、上記実施形態における集め部６の変形例の集め部２６０を示す図である。集め部２６０は、第１の部分２６１、第２の部分２６２、および摩擦低減部２６３を備えている。第１の部分２６１は、第２の部分２６２と一体である。摩擦低減部２６３は、例えばローラであって、集め部２６０の先端部（第１の部分２６１の先端部）に設けられる。摩擦低減部２６３は、引き出される袋１００との間の摩擦力によって回転し、これにより、袋１００と集め部２６０の先端部との間の摩擦力が低減される。
【００３９】
このような構成の集め部２６０によれば、引き出される袋１００を中央に寄せながらも、袋１００に過剰な力が加わって袋１００が破れるなどの不都合の発生が防止できる。なお、本変形例２の摩擦低減部２６３は、集め部６や集め部１６０の先端部に設けられてもよい。
【００４０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４１】
１  …袋保持装置
２  …筐体、２１…取出口
３  …トレイ部、３１…平面部、３２，３３…側壁、３４…差し込み方向下流側の部分
３５…案内部、３５１，３５２…部分
３６…付勢部、３６１…外筒、３６２…スライダ、３６３…ばね
４  …支持部、４１…端部
５  …保持部
６  …集め部、６１…第１の部分、６２…第２の部分
１６０…集め部、１６１…第１の部分、１６２…第２の部分、１６３…第２付勢部
２６０…集め部、２６１…第１の部分、２６２…第２の部分、２６３…摩擦低減部
１００…袋、１０１…本体部分、１０２…持ち手、１０３…吊下げ部
１０４…切り取り線、１０５…折り曲げ部分、１０６…底
【先行技術文献】
【特許文献】
【００４２】
【特許文献１】特開２０１０−３５７６７号公報
【図１】
2020062064.tif 000003
【図２】
2020062064.tif 000004
【図３】
2020062064.tif 000005
【図４】
2020062064.tif 000006
【図５】
2020062064.tif 000007
【図６】
2020062064.tif 000008
【図７】
2020062064.tif 000009
【図８】
2020062064.tif 000010